(57)【要約】【課題】塵芥が噛み込んだり、詰まったりした際に、投入口側からこの塵芥を容易かつ迅速に取り出し、メンテナンス性を向上する。【解決手段】  壁体１に形成された壁開口１０を閉塞する取付プレート２１と、この取付プレート２１に設けられた投入口２４を開閉自在に閉塞する開閉蓋とを備え、前記取付プレート２１は、前記壁開口１０を閉塞する閉塞姿勢Ａと、壁開口１０を開放する開放姿勢Ａとに姿勢変更できるように、連結手段２２で壁体１側に取り付けられ、しかも、前記取付プレート２１を開放姿勢に維持する保持手段３０を備えている。【選択図】  図１
2006008375.tif 000002
【特許請求の範囲】
【請求項１】
壁体に形成された壁開口を閉塞する取付プレートと、この取付プレートに設けられた投入口を開閉自在に閉塞する開閉蓋とを備え、前記取付プレートは、前記壁開口を閉塞する閉塞姿勢と、壁開口を開放する開放姿勢とに姿勢変更できるように、連結手段で壁体側に取り付けられ、しかも、前記取付プレートを開放姿勢に維持する保持手段を備えていることを特徴とする塵芥投入口構造。
【請求項２】
前記壁体の内側に塵芥を収容する貯留槽が配置され、この貯留槽と前記壁体との間には、前記投入口から投入された塵芥を、前記貯留槽に搬送して投入する塵芥投入装置が配置されている請求項１に記載の塵芥投入口構造。
【請求項３】
前記保持手段は、前記取付プレートと前記壁体側とに連結された伸縮ダンパーからなる請求項１又は２に記載の塵芥投入口構造。
【請求項４】
前記連結手段は、ヒンジからなる請求項１、２又は３に記載の塵芥投入口構造。
【発明の詳細な説明】
【技術分野】
【０００１】
本発明は、貯留槽等に塵芥を投入するための塵芥投入口構造に関する。
【背景技術】
【０００２】
従来、この種の塵芥投入口構造としては、壁体により内外区画された内部に、塵芥が収納される貯留槽が配置され、壁体に設けられた投入口手段から塵芥を貯留槽に投入するようにしたものがある（例えば特許文献１参照）。
【０００３】
かかる投入手段は、壁体に取り付けられる取付プレートと、取付プレートに設けられた投入口を開閉自在に閉塞する開閉蓋とを備えたものである。そして、取付プレートの周囲は、壁体に複数のボルトで締結固定されているのが一般的である。
【特許文献１】特開平３−１５８３０２号公報
【発明の開示】
【発明が解決しようとする課題】
【０００４】
投入手段の投入口から貯留槽に長尺状の物品等が投入されると、投入手段と貯留槽との間で、塵芥が詰まってしまう場合ある。また、貯留槽内に収容不可の塵芥が不用意に投入される場合もある。かかる場合には、この塵芥を取り除く必要があるが、通常は、貯留槽の側方は壁体で被われており、貯留槽の側面と壁体との間に作業スペースが十分に確保できないのが現状である。
【０００５】
このため、作業者は、取付プレートを固定している複数のボルトを外し、投入手段全体を取り外し、作業開口を大きくした状態で、詰まっている塵芥を貯留槽の前面（投入口側）から取り除く作業を行っている。また、塵芥を取り除いた後に、前記複数のボルトにより、取付プレートを壁体に締結固定している。このため、複数のボルトを操作して重量のある投入手段全体を取り外したり、取り付けたりしなければならないため、その作業が煩雑となるとともに容易にできず、専門の作業要員が必要となる問題がある。
【０００６】
また、貯留槽等は、定期的にメンテナンスを行う必要もあるが、かかるメンテナンスも同様に投入手段全体を取り外したり、取り付けたりして行っているため、前記同様の問題がある。
【０００７】
本発明は、上記問題点に鑑みてなされたもので、専門の作業要員でなくても、不用意に投入された塵芥の取り出し作業や貯留槽等のメンテナンスを容易かつ迅速に行えるようにすることを課題とする。
【課題を解決するための手段】
【０００８】
本発明は、前記課題を解決するためになされたもので、壁体に形成された壁開口を閉塞する取付プレートと、この取付プレートに設けられた投入口を開閉自在に閉塞する開閉蓋とを備え、前記取付プレートは、前記壁開口を閉塞する閉塞姿勢と、壁開口を開放する開放姿勢とに姿勢変更できるように、連結手段で壁体側に取り付けられ、しかも、前記取付プレートを開放姿勢に維持する保持手段を備えていることにある。
【０００９】
前記壁体の内側に塵芥を収容する貯留槽が配置され、この貯留槽と前記壁体との間には、前記投入口から投入された塵芥を、前記貯留槽に搬送して投入する塵芥投入装置が配置されていることにある。
【００１０】
前記保持手段は、前記取付プレートと前記壁体側とに連結された伸縮ダンパーからなるのが好ましい。
【００１１】
前記連結手段は、ヒンジからなるのが好ましい。
【発明の効果】
【００１２】
本発明によれば、専門の作業要員でなくても、投入口側から不用意に投入された塵芥の取り出し作業を容易かつ迅速に行え、メンテナンス性を向上することができる。
【発明を実施するための最良の形態】
【００１３】
以下、本発明の実施の形態について図面を参照して説明する。
【００１４】
（第一実施の形態）
図１〜図３は、本発明の第一実施の形態を示す。例えば建物の壁体１により内部と外部とが区画されており、その内部側には、貯留槽２が配置されている。貯留槽２は、例えば、ドラム３が駆動手段５により水平軸回りに回転自在に設けられ、壁体１の外部から投入された塵芥をドラム３の回転動作により内部に設けらたブレードの作用で投入側と反対の排出側に搬送して圧縮しながら貯留し、貯留した塵芥を排出口から適宜排出するものである。
【００１５】
壁体１の貯留槽２が対向する位置には、矩形状の壁開口１０が形成されている。この壁開口１０の内周には、断面Ｌ字状の枠体（コーナーアングル）１１が、ボルト１２で固定され、この枠体１１に投入手段２０が設けられている。
【００１６】
投入手段２０は、前記壁開口１０を開閉自在に閉塞する取付プレート２１を備える。この取付プレート２１は、壁開口１０よりも大きな形状を有しており、壁体１の外面側に配置されている。取付プレート２１の上縁部２１ａは、連結手段としてのヒンジ２２を介して壁体１側に連結されている。従って、取付プレート２１は、壁体１に当接して壁開口１０を閉塞する閉塞姿勢Ａと、壁開口１０を開放する開放姿勢Ｂとに、上下方向に回動して姿勢変更自在になっている。ヒンジ２２は、図２に示すように、取付プレート２１の横方向に所定間隔をおいて複数個設けられている。
【００１７】
取付プレート２１の略中央部には、投入口２４が形成され、この投入口２４は開閉蓋２５により開閉自在に設けられている。また、投入口２４には、貯留槽２の入り口内部に臨むようにシュート２７が設けられ、塵芥を投入口２４、シュート２７を通じて貯留槽２に投入するようになっている。
【００１８】
図３に示すように、取付プレート２１の裏面の両横側縁に設けられたブラケット２１ｂ、２１ｂと、枠体１１の内周両横側に設けられたブラケット１１ａ、１１ａ、には、保持手段としての伸縮ダンパー３０、３０が連結されており、取付プレート２１は、伸縮ダンパー３０、３０により略水平な開放姿勢Ｂを維持できるようになっている。なお、本実施の形態は、伸縮ダンパー３０、３０を左右方向に一対（複数個）設けた場合を例示するが、取付プレート２１の片側に単体設けた場合であってもよく、伸縮ダンパーの個数および位置は限定されない。
【００１９】
取付プレート２１の自由端部（閉塞姿勢Ａ時の下端部）は、固定手段としてのボルト３１で枠体１１に着脱自在に固定される。なお、このボルト３１は、取付プレート２１が不用意に開くのを規制するものであるため、単体であっても十分にその機能は発揮するが、間隔をおいて複数設けることも可能である。作業性を考慮した場合には、単体のボルト３１で取付プレート２１の幅方向の中央部を締結固定するのが望ましい。
【００２０】
次に、前記投入手段２０から塵芥を投入する場合について説明する。先ず、塵芥を投入する際には、投入手段２０が閉塞姿勢Ａの状態にあり、図１に仮想線で示すように、開閉蓋２５を適宜角度まで開いて塵芥を投入口２４から貯留槽２に投入する。
【００２１】
仮に、不用意に長尺状の塵芥が投入されて投入手段２０や貯留槽２の入り口で詰まったために、その塵芥と取り除く作業を行う場合や、貯留槽２等のメンテナンスを行う場合には、投入手段２０の取付プレート２１を固定しているボルト３１を緩めて取り除く。このボルト３１は、取付プレート２１の自由端部を固定するため、個数が少なくてよく、ボルト３１の操作は迅速に行える。
【００２２】
ボルト３１を外した後に、ヒンジ２２を支点にして取付プレート２１（投入手段２０）を前方上方に回動させる。取付プレート２１の回動に伴ってダンパー３０が伸長し、伸縮ダンパー３０は、取付プレート２１を開放姿勢Ｂに維持するため、壁開口１０の全体が露出される（図３参照）。取付プレート２１の回動に際しては、伸縮ダンパー３０が取付プレート２１を開放方向に補助するため、取付プレート２１を容易に開放できる。
【００２３】
作業者は、投入手段２０全体を取り外すことなく、大きく開口された壁開口１０を介して貯留槽２内に詰まった塵芥を貯留槽２の前面から取り除いたり、メンテナンスを行える。作業が終了した後に、作業者は、取付プレート２１を下方に回動させて閉塞姿勢Ａに姿勢変更させ、取付プレート２１の自由端部をボルト３１で締結固定する。
【００２４】
（変形例）
図４に前記第一実施の形態の変形例を示す。本変形例は、保持手段として伸縮ダンパーに代えて、支柱３３を採用する。なお、前記第一実施の形態と同一部材には同一符号を付してそれぞれの説明は省略する。
【００２５】
貯留槽２内に詰まった塵芥を取り除く際には、前記同様にして投入手段２０を上方に回動し、接地面３４に立設された支柱３３で取付プレート２１の裏面を支持することにより、投入手段２０を開放姿勢Ｂに維持させることができる。その後の作業は、前記実施の形態と同様に行う。
【００２６】
（第二実施の形態）
図５および図６は、本発明の第二実施の形態を示す。本実施の形態は、壁体１と貯留槽２との間に、塵芥投入装置４０が配置されている。なお、第一実施の形態と同一部材には同一符号を付してそれぞれの説明は省略する。
【００２７】
塵芥投入装置４０は、貯留槽２の上部に設けられた投入ホッパ２ａを通じて当該貯留槽２に塵芥を投入するためのもので、貯留槽２の投入ホッパ２ａの周囲に配設された回転体４１と、この回転体４１に設けられた複数枚の搬送板４３とを備えている。
【００２８】
回転体４１は、内側が開口４４されたドーナツ状に形成されており、その内側開口４４を通じて内部に塵芥が収容可能になされている。この回転体４１は、一対の下部支持ローラ４５と、頂部支持ローラ４６とにより回転自在に支持される。そして、このように支持された回転体４１は駆動モータ４７により図示しない伝達機構を介して図６において時計回りの方向に回転するように構成されている。
【００２９】
前記搬送板４３は、回転体４１内に収容された塵芥を上方に搬送して投入ホッパ２ａに投入するためのもので、図示例では４枚が等間隔に配設されている。各搬送板４３は、下方の位置で塵芥を掬い上げて回転体４１の後壁とで支持できるように、回転方向に傾斜しており、回転体４１とともに回転することで、当該搬送板４３の内側端部４３ａが下方となるように傾斜し始め、頂部付近に達した時に支持した塵芥をその傾斜動作によって投入ホッパ２ａに投入するようになっている。
【００３０】
回転体４１の下部前方には、前記投入手段２０が設けられている。投入手段２０のシュート２７が、回転体４１の内部に臨んでおり、塵芥を投入口２４、シュート２７を通じて回転体４１内の前記搬送板４３で区画された各部位に収容するようにしている。
【００３１】
なお、本第二実施の形態は、保持手段として、支柱３３を例示するが、伸縮ダンパーを設けてもよい。
【００３２】
本第二実施の投入手段２０から塵芥を投入する際に、仮に回転体４１等に塵芥が詰まったり、噛み込んで残存する場合、前記第一実施の形態と同様の操作により、投入手段２０を開放した状態で回転体４１等に詰まった塵芥の取り出し作業ができる。従って、塵芥投入装置４０に塵芥が噛み込んだり、詰まった際に、塵芥投入装置４０を移動させたり、解体する必要もなく、メンテナンスも容易にすることができる。
【００３３】
本発明は、前記実施の形態に限定されるものではない。例えば、連結手段としてのヒンジは、取付プレート２１の左右側縁部を支持して、取付プレート２１を水平方向に開閉移動するようにしてもよい。また、ヒンジは、取付プレート２１の下側縁部を支持してもよい。
【００３４】
また、連結手段としてヒンジを採用するので、その取り付けおよび構成が簡単になるが、連結手段は、ヒンジ以外に、取付プレート２１を回動させることなく、平行に移動させるリンク機構やスライド機構を採用することも可能であり、特に限定されるものではない。
【００３５】
しかも、壁体１は、建物の一部の物に限らず、例えば、貯留槽２または塵芥投入装置４０の一部を壁体とすることも可能である。また、投入手段２０の取付プレート２１を固定する固定手段としては、ボルト３１に限らず、ワンタッチで係合または解除できるレバー式のものであってもよい。
【図面の簡単な説明】
【００３６】
【図１】本発明の第一実施の形態を示す側面視の断面図である。
【図２】同取付プレートの閉塞姿勢の要部を示す正面図である。
【図３】同取付プレートの開放姿勢の要部を示す断面正面図である。
【図４】同変形例を示す側面視の断面図である。
【図５】本発明の第二実施の形態を示す側面視の断面図である。
【図６】同正面図である。
【符号の説明】
【００３７】
１    壁体
２    貯留槽
１０  壁開口
２０  投入手段
２１  取付プレート
２２  ヒンジ（連結手段）
２４  投入口
３０  伸縮ダンパー（保持手段）
３３  支柱（保持手段）
４０  塵芥投入装置
Ａ    閉塞姿勢
Ｂ    開放姿勢
【図１】
2006008375.tif 000003
【図２】
2006008375.tif 000004
【図３】
2006008375.tif 000005
【図４】
2006008375.tif 000006
【図５】
2006008375.tif 000007
【図６】
2006008375.tif 000008